(57)【要約】本発明の適用は特別な折り畳みパターンを含むポップアップふき取り用品分配システムに関連する。ふき取り用品は好ましくはふき取り用品の長さ及び幅の寸法より小さい容器に包装される。
2004501697.tif 000002
【特許請求の範囲】
【請求項１】
ポップアップ分配システムに使用するのに好適な複数のふき取り用品を含む連続的な長さの基材であって、
それぞれのふき取り用品は、２つの対向するへり部分及び前記２つの対向するへり部分と結合している２つの末端部を含み、
前記ふき取り用品は、前記へり部分の間に伸びる長手方向と、
前記長手方向に垂直な横断方向とを有し、
それぞれの前記ふき取り用品は、切り離しミシン目パターンによって画定される連結部位によって、隣のふき取り用品と連結しており、
ふき取り用品の積み重ねを画定するために、基材の長さは前記長手方向に折り畳まれ、その後前記横断方向に、ジグザグに、重なったパターンで折り畳まれることに特徴付けられる連続的な長さの基材。
【請求項２】
基材の長さがＺ、Ｖ、及びＣ折り畳みパターンから選択される折り畳みパターンを使用して長手方向に折りたたまれる請求項１に記載の連続的な長さの基材。
【請求項３】
基材が８０％より多い人工繊維を含む請求項１〜２のいずれか１項に記載の連続的な長さの基材。
【請求項４】
基材が９５％より多い人工繊維を含む請求項１〜３のいずれか１項に記載の連続的な長さの基材。
【請求項５】
人工繊維が実質的に１００％湿式からみ合わせ人工再生セルロース繊維である請求項１〜４のいずれか１項に記載の連続的な長さの基材。
【請求項６】
ふき取り用品が実質的に方形である形の請求項１〜５のいずれか１項に記載の連続的な長さの基材。
【請求項７】
目打ちパターンが基材における一連の間隔をおいた切れ目によって定義される請求項１〜６のいずれか１項に記載の連続的な長さの基材。
【請求項８】
目打ちパターンが一つの連結部位のみからなる請求項１〜７のいずれか１項に記載の連続的な長さの基材。
【請求項９】
ふき取り用品が洗浄組成物を含んでいる請求項１〜８のいずれか１項に記載の連続的な長さの基材。
【請求項１０】
分配用オリフィス、及び請求項１〜９のいずれか１項に記載の連続的な長さの基材を含む容器を含むポップアップふき取り用品分配システム。
【請求項１１】
容器が、広げたふき取り用品の長さ及び幅の寸法より小さい長さ及び幅の寸法を有する請求項１０に記載のポップアップふき取り用品分配システム。
【請求項１２】
容器が側壁面、底壁面、及び頂上壁面を有し、その際分配用開口部が頂上壁面に位置する請求項１０又は１１に記載のポップアップふき取り用品分配システム。
【請求項１３】
長い基材が容器内の小袋に位置する請求項１０〜１２のいずれか１項に記載のポップアップふき取り用品分配システム。
【請求項１４】
容器及び／又は小袋が密封可能及び再密封可能である請求項１０〜１３のいずれか１項に記載のポップアップふき取り用品分配システム。
【発明の詳細な説明】
【０００１】
（産業上の利用分野）
本発明はウェットタオル又は乾燥ふき取り用品及びふき取り用品をより容易に分配できるポップアップふき取り用品分配システムに関する。当該ふき取り用品は、いずれの適用にも好適であるように設計されている。特に好ましい実施形態において、ふき取り用品は洗浄組成物で予め湿らせ、台所又はトイレを包含する浴室の表面などの硬質面を洗浄するのに使用される。
【０００２】
（発明の背景）
使い捨て、人工、合成及び／又は天然繊維をベースとした予め湿らせた或いは実質的に乾燥している洗浄ふき取り用品は従来技術において既知である。使い捨て洗浄性ふき取り用品は、とりわけ一度使用し、その後廃棄するように設計されている。当該ふき取り用品は多様な異なる物質を含むウェブから作成されてよい。かかる物質はポリオレフィン繊維、ビスコース繊維、綿繊維などの合成、人工及び天然繊維を包含してよく、それらは考えられる最終用途に依存してその他の、界面活性剤、ポリマー、殺菌剤、防腐剤、油及び香水の間のものを含有してもよい水性或いは非水性洗浄組成物で一般的に湿らせる。
【０００３】
ふき取り用品は予め湿らせることもできるし又は実質的に乾燥状態であることもできる。実質的に乾燥しているふき取り用品は、典型的には主に水又は他の液体を表面から吸収するのに使用される使い捨てペーパータオルである。或いは、乾燥ふき取り用品は、粉末又はジェル組成物、例えば湿潤状態で活性になる洗浄又は清浄組成物を含んでよい。かかるふき取り用品はウェットタオルと同様の方法で使用できる。予め湿らせたふき取り用品又はウェットタオルは、既知であるように、典型的に液体組成物を含み、したがって家庭内及び産業での多様な適用に利用してよく、並びに多様な機能を有してよい。ふき取り用品は、通常顔などの清浄及びふき取り並びに手の清浄そして肛門、会陰部、性器の清浄、例えば女性用ウェットタオルなど人体衛生ふき取り用品として使用される。ウェットタオルは化粧、皮膚コンディショナー及び薬物の除去及び適用を包含する身体への物質の適用に使用してもよい。ふき取り用品のその他の適用は、オムツの交換の際及び部分的にはオムツ並びに失禁用具の使用が原因である大人及び乳幼児の皮膚炎の治療である。ウェットタオルはペットの洗浄又は手入れに使用される物品を包含してもよい。ウェットタオルの１つの特に好ましい適用は硬質面のふき取り及び／又は洗浄並びに例えば台所そしてとりわけ浴室の表面、眼鏡、靴などの表面及び工業において洗浄を必要とされる、例えば機械或いは乗り物の表面への組成物の適用である。
【０００４】
ふき取り用品、とりわけウェットタオルは近年ますます一般的になってきた。これは主にふき取り用品の使用の簡便さのためだと考えられる。ユーザーはもはや組成物をスポンジ又は布につける必要はなく、もはや正確な用量を気にする必要もない。当該ふき取り用品は、包装から取り出して即座に表面又は皮膚を洗浄或いはふき取りに使用することができる用具を提供する。ふき取り用品は典型的にはふき取り用品の積み重ねを含む容器中に入れてユーザーに提供されそれは残りのふき取り用品を保護するためにそれぞれの使用後に再密封することができる。一つの典型的な配置において、それぞれのふき取り用品は別個に折り畳まれ、高く積み重ねられる。しかし単に互いの頂上部に折り畳み、積み重ねるかかるシステムは、ユーザーに次のふき取り用品を供給したり、ユーザーが積み重ねの次のふき取り用品を掴むのを容易にする方法を供給しない。このシステムはこのように露出したふき取り用品の遊離した末端部を見つけ、ふき取り用品の残った積み重ねからふき取り用品をはがすことを必要とする。この手順は手間がかかり、いらいらし、高齢者又は子供には扱うことのできないかもしれない器用さを必要としうる。
【０００５】
ふき取り用品のこれらの問題を解決するためにふき取り用品の製造者らは、ユーザーが掴むのを容易にするために容器の開口部を通して積み重ねから次のふき取り用品を供給することによってふき取り用品を分配する方法を考案した。かかるシステムは一般的に「ポップアップ」ディスペンサーとして既知であり、その際、容器から引き抜かれたふき取り用品の後ろの縁又は部分が容器の開口部を通して積み重ねの次のふき取り用品を引っ張り、その後典型的に後ろの縁又は部分からユーザーの使用できる遊離した次のふき取り用品の前の縁又は部分を切り離す。ポップアップ分配の一つの方法は、ふき取り用品基材の連続したロールにより達成することができ、例えば米国特許３，８６８，０５２号参照のこと、この特許では、ふき取り用品はロールの内側からはがし、容器の開口部を通して供給される。このシステムはロールアップ分配システムとして既知である。しかしながらこの積み重ね配置は分離しているふき取り用品より高い分配の力を必要とし、ミシン目部は早過ぎる分離を避けるために十分な構造的な完全性がなければならない。さらに、より高い力を必要とするということは、次のふき取り用品からふき取り用品を切り離すのがユーザーにとってより困難であり、一つの手は容器を引っ張り、一つの手はふき取り用品を引っ張るというように時々両方の手を必要とすることを意味している。かかる分配配置及びより高いのための分配力は又、しばしば次のふき取り用品の前の縁又は部分が容器の開口部からさらにはみ出る原因となり、これは容器の閉鎖及び再密封を困難にし、ふき取り用品、とりわけ容器からはみ出たふき取り用品の過度な乾燥の原因となる。より高い分離力は又不必要なごみの原因となる必要とされるより多くのふき取り用品を容器から取り出す結果をユーザーに導いてしまうかもしれず、これは連鎖として既知である。
【０００６】
他のポップアップ分配システムとしては１つのふき取り用品のミシン目が次のふき取り用品のミシン目に間隔をおいた中間を作るようなふき取り用品の折り畳みが挙げられる。ふき取り用品はその後容器の内側で蛇腹に又はジグザグに折り畳まれる。このように頂上部のふき取り用品が箱から引き出された時、次のふき取り用品はそれに引き出され及びその後分離の分配力によって次のふき取り用品から再び切り離される。
ポップアップ分配のさらに１つのアプローチは、別個の折り畳まれた及び挟み込むふき取り用品の使用である。当該ふき取り用品はそれらが実質的にお互いに平行であり及び最初のふき取り用品が取り除かれたとき次のふき取り用品が容器の開口部を通して供給されるようにお互いが接着している重なり合う末端部分を有するように折り込まれる。この方法は使用される分配力に関連するいずれの問題も解決するが、結果として連鎖になり得、その際分離は起こらず、又は失敗し、その際接着は、容器の開口部を通して次のふき取り用品を供給するのに十分ではない。
【０００７】
出願者が上記の全ての分配システムにおいて直面したさらなる問題は、ふき取り用品は必要とされる仕事を行うのに十分大きくなければならないが、台所又は浴室に容易にしまうため或いは、ユーザーがバッグ若しくはポケットなどに邪魔にならないように持ち運ぶのに十分小さく容器に折り畳まれなければならない、というものである。本発明の特別な実施形態において、ふき取り用品は洗面所の表面、とりわけトイレを洗浄するのに使用するように設計され、その後安全に洗い流すことができる。それゆえに、ふき取り用品を含有する容器は容易に届くように、洗面所、及び好ましくはトイレの水槽の頂上部に保存することができるように十分小さいものが好ましい。ジグザグ又は挟み込むパターンを使用して折り込まれたふき取り用品はおよそふき取り用品の幅である容器に包装されなければならない。ロールアップ分配システムは小さい容器にふき取り用品を包装できるが、例えば分離力の増加、連鎖及びとりわけ一度巻物を消耗した場合の巻物の３次元の安定性の他の問題が存在する。さらに、ウェットタオルを分配するとき、ふき取り用品は内側に折り畳まれる傾向にあり結果としてそれ自体にふき取り用品が接着し、ユーザーがふき取り用品を広げ及び効果的に使用するのは困難である。
【０００８】
本発明はこのように好ましくはウェットタオルを分配するための新規のポップアップ分配システムに関する。本発明のふき取り用品は連続的な基材をつくるための連結部位によって結合されている長い基材は、その後製造者が広げたふき取り用品の長さ及び幅の寸法より小さい寸法を有する容器に基材を包装できるような方法で折り畳まれる。ふき取り用品はこのようにそれらの長手方向及び横断方向に交差して折り畳まれる。
【０００９】
（発明の概要）
本発明によって、ポップアップ分配システムに使用するのに好適な多くのふき取り用品を含む連続的な長さの基材であって、それぞれのふき取り用品は２つの対向するへり部分及び前記２つの対向するへり部分と結合している２つの末端を含み、前記ふき取り用品は、前記ヘリ部分の間に伸びる長手方向及び長手方向と垂直である横断方向を有し、それぞれのふき取り用品は切り離しミシン目パターンによって画定される連結部位によって隣のふき取り用品と連結しており、基材の長さは長手方向に折り畳まれ及びその後横断方向にふき取り用品の積み重ねを定義するジグザグ、重なりパターンで折り畳まれることに特徴付けられる連続的な長さの基材が提供される。
本発明のその他の態様において、上記の段落に記載の分配用の穴、及び長い基材を含む容器を含むポップアップふき取り用品分配システムを提供する。
【００１０】
（詳細な説明）
基材
本発明の基材は連続的な長さの基材１として存在する。連続的な基材は多数のふき取り用品、２に分割され、それは連結部位、３によってお互いに連結され、及び連結部位は切り離しミシン目パターンによって画定される。
上記したように、本発明の目的は広げられたふき取り用品より小さい長さ及び幅の寸法を有する容器にふき取り用品を包装することである。長い基材はそれゆえに折り畳まれなければならない。しかし、従来技術で行われてきたような一方向のみの折り畳みは、ふき取り用品の大きさ（横断面範囲）を十分に減少させることができず、必要とされる大きさの容器に包装できない。出願者らは、少なくとも２次元におけるふき取り用品の折り畳みを包含するが、さらにポップアップでありユーザーが次のふき取り用品の前の縁又は部分を自由に扱える新規の折り畳みパターンを考案した。
【００１１】
連続的な長さの基材は多数のふき取り用品を含み及びそれぞれのふき取り用品は二つの対向するへり部分４及び２つの反対側にある末端部５を有しそれは２つの対向するへり部分４に結合している。ふき取り用品の長手方向８はへり部分の間に伸びる方向である。長手方向は基材が製造機械にそって動く方向などの機械方向としても既知である。横断方向９は長手方向８と垂直の方向である。本発明の折り畳みパターンは、長い基材は最初に長手方向に折り畳まれ、基材の完全な長さが低減されることを必要とする。縦に折り畳まれた基材はその後ふき取り用品の積み重ねを画定するジグザグで部分的に重なり合うパターンで横に折り畳まれる。好ましくは長い基材はＺ、Ｖ及びＣ折り畳みパタ−ンから選択される折り畳みパターンを使用して長手方向に折り畳む。Ｚ、Ｖ及びＣ折り畳みパタ−ンは当業界において既知であるが、基本的には長手方向において生成される折り畳みの形を述べている。例えば、図２に見ることができるように、Ｚ折り畳みパターンはふき取り用品の対向するへり部分を異なった方向へ折り畳むことからなっており、１つのへり部分を上に折り畳み及びその他は下に折り畳み、それの間の残りの部位は折り畳まず、それゆえにＺ型を生成する。図３に見ることができるように、Ｖ折り畳みパターンは基材の対向するへり部分の１つをその他の側部に向かって折り畳み、Ｖ型を形成する。図４に見ることができるように、Ｃ折り畳みパターンは両方の対向するへり部分を同じ方向へ折り畳むことからなっており（すなわち、上方又は下方）、ふき取り用品の中央の残りの部位は折り畳まず、Ｃ型を形成する。
【００１２】
ジグザグ重なり折り畳み、図５は横断方向における長い基材の折り畳みからなり、ふき取り用品は初め１つの横断方向に折り畳まれ、その後対向する横断方向に戻り、その後再び最初の横断方向にいき、ふき取り用品の積み重ねを画定する。好ましい実施形態において、長い基材はふき取り用品のミシン目又は連結部位がふき取り用品の積み重ね前面と背景の中心点に位置するように折り畳まれる。或いはミシン目又は連結部位は折り畳みに位置してよい。
特に好ましい実施形態において、長い基材は最初にＺ折り畳みパターンで長手方向に折り畳み及びその後図６に見られるようにジグザグで重なるパターンを使用して横断方向に折り畳む。
【００１３】
連続的なふき取り用品の連結部位３は長い基材の横に伸びるミシン目のパターンによって画定される。好ましい実施形態において、ミシン目のパターンは基材における多くの切れ目、残りの連続的なふき取り用品の連結の小さい部位を含む。ミシン目線は基材の横断方向を実質的には直線で横切ってよい。或いは、ミシン目線は例えば、曲線又は「Ｖ」型でよい。目打ち線が曲線又は「Ｖ」型である場合、ユーザーの扱いやすいふき取り用品の遊離した末端はふき取り用品をさらにより扱い安くする曲線又は「Ｖ」の端部分である。特に好ましい実施形態において、ミシン目パターンは連結部位の切れ目に対する比は５０％未満、より好ましくは１０％未満である。
当該基材は好ましくはウェブ、典型的にはウェブから切断された板状物質として供給される。当該ウェブは職布又は不織布、発泡体、スポンジ、詰綿、ボール、パフ又は皮膜であってよい。最も好ましくは、ウェブは不織布であり、人工繊維を含み、さらにより好ましくはウェブは単独で人工繊維を含む。
【００１４】
本発明によって当該ウェブは当業界で既知のいずれの方法で生成してもよい。例えば、不織布物質基材は製紙機械などに使われるようなカーディング、空気層状化、又は湿式層状化のような乾燥形成法によって形成できる。メルトブローン、スパンボンド、ニードルパンチ、スパンレースなどの他の不織布製造技術を使用してもよい。好ましくは、本発明に使用されるウェブはからみ合わせ繊維マットを平行な繊維ウェブに変化させる際、カーディング法を使用して生成される。　基材を提供するためのウェブの多様な実施形態が本発明の範囲内であるが、好ましい実施形態においてウェブは毛羽立てられ及び人工繊維を含む不織布である。好ましい実施形態において、ウェブは少なくとも８０％、さらにより好ましくは少なくとも９５％及び最も好ましくはおよそ１００％の人工繊維を含む。
【００１５】
本明細書で使用する時、人工繊維はセルロースから製造される繊維、例えばセルロース誘導体又は再生セルロースを包含し、このように合成有機ポリマーをベースとした合成繊維とは区別される。本明細書で使用する時、誘導体繊維は天然ポリマーの科学的誘導体、例えばセルロースの誘導体が調製され、溶解され、及び連続フィラメントとして押し出された時に形成される繊維であり、誘導体の化学的特性は繊維形成工程の後も保持されている。再生繊維は、本明細書で使用する時、天然ポリマー又はそれの化学的誘導体が溶解され、連続フィラメントとして押し出されたとき形成される繊維である。天然ポリマーの物理的特質は変化するが、天然ポリマーの化学的特質は繊維形成工程後、実質的に保持され又は再生される。好ましい人工繊維は０．５ｄｔｅｘ〜３．０ｄｔｅｘ、より好ましくは１．０ｄｔｅｘ〜２．０ｄｔｅｘ、最も好ましくは１．５ｄｔｅｘ〜２．０ｄｔｅｘのデニールを有する。
【００１６】
本明細書の使用に好ましい人工繊維としてはＮ−メチルモルホリン−Ｎ−オキシド中でセルロース繊維を溶解することによって生成するレーヨン（ビスコース）が挙げられ、結果としてのそれは再生セルロースとしても既知であり、テンセル・ファイバーズ・ヨーロッパ（Ｔｅｎｃｅｌ Ｆｉｂｒｅｓ Ｅｕｒｏｐｅ）、イギリスから供給される。
人工繊維は、消費者の受容性が高い及び安価であり並びに典型的に生態学的な製造であるため、本発明のウェブに使用するのに好ましい繊維である。人工繊維及び特にセルロース誘導人工繊維は高い生分解性を示すことで既知であるが、人工繊維で完全に又は実質的に完全に製造されたウェブがウェットタオル基材としての使用に好適であることが以前には十分に理解されてはいない。人工繊維ウェブ基材からなるウェットタオルは、繊維形成の際、柔軟性、荒さ及び吸収性などのさらに有利な利益を含むように使用する繊維を化学的にも又は物理的にも変化させることができるという利益をさらに提供する。
【００１７】
ウェブは好ましくは少なくとも２０ｇｍ−２及び好ましくは１５０ｇｍ−２未満の重量を有し、最も好ましくは坪量は２０ｇｍ−２〜１００ｇｍ−２、より好ましくは４０ｇｍ−２〜０ｇｍ−２の範囲である。当該ウェブはいずれの厚さを有してもよい。典型的に、ウェブが空気層状化工程によって製造されるとき、ウェブの平均の厚さは１．００ｍｍ未満である。より好ましくはウェブの平均の厚さは０．２ｍｍ〜０．９ｍｍである。ウェブの厚さは標準ＥＤＡＮＡ不織布工業方法学、参照方法Ａ＃３０．４〜８９によって測定される。
ウェブをつくるのに使用する繊維に加えて、ウェブは当業界で既知のそれらに加えられる他の成分又は物質を外観、表面のきめ、色、及び香りを改善するために含むことができる。例としては不透明化剤、例えば二酸化チタンの使用である。
【００１８】
ウェットタオル基材の十分な強度を達成するために繊維を湿式からみ合わせする。湿式からみ合わせは、ウェブの繊維を流体の力によって再配列し、からみ合わせる工程である。湿式からみ合わせはこのように結合方法として使用することができ、繊維レベルにおける摩擦による連結を引き起こすような配置に個々の繊維を再配列し、からみ合わせる。結合の利益に加えて、湿式からみ合わせは表面のきめを提供するのに使用することができ、それによって湿式からみ合わせは繊維を開放パターン配置に再配列する。湿式からみ合わせ処理を行ったウェブは化学的バインダーを含有せず、熱的に結合されない。湿式からみ合わせウェブは機械的な強度を有し、引き伸ばし、引っ張り及び剥離に抵抗することができるが、触知できる及び柔らかくなるように製造することができる。さらに、ウェブの吸収性及び湿潤性能は湿式からみ合わせによって悪い影響は受けない。
このように、本発明によって、最も好ましい実施形態の基材は実質的には１００％湿式からみ合わせ人工再生セルロースからなる。
【００１９】
本発明の好ましい実施形態によって、基材は本明細書で記載したような組成物を含んでいる。「含んでいる」は本明細書において、前記基材又はウェットタオルが本明細書で記載するような好ましい液体組成物にコーティングされる或いは浸漬されることを意味する。
本発明によるウェットタオルの調製において、組成物は少なくとも基材物質の１つの表面に適用する。当該組成物はウェットタオルの製造中、いずれの時に適用することもできる。好ましくは、組成物は基材が乾燥した後に基材に適用できる。溶融又は液体粘度を有する滑らかな物質を平らに分布するいずれの多様な適用方法も使用できる。好適な方法としては、噴霧、印刷（例えばフレキソ印刷）、基材がチューブを横切って通過し組成物をチューブを通して基材と接触させるコーティング（例えばグラビアコーティング又はフラッドコーティング）押し出し又はこれらの適用技術の組み合わせが挙げられる。例えば、カレンダーロールなどの回転表面に組成物を噴霧しその後組成物を基材の表面に付着させる。組成物は基材の１つの表面又は両方の表面のいずれかに適用でき、好ましくは両方の表面である。好ましい適用方法は押し出しコーティングである。
【００２０】
組成物は均一に又は非均一に基材の表面に適用しうる。非均一は例えば組成物の量、分布のパターンが基材の表面で変化しうることを意味する。例えば、基材のある表面は、いずれの組成物も有していない表面部分を包含する組成物の量のより多い又はより少ない部分を有しうる。好ましくはしかし、当該組成物はふき取り用品の表面に均一に適用される。
好ましくは、当該組成物は乾燥後いずれの時点においても基材に適用できる。例えば、当該組成物は好ましくはカレンダーにかけた後及びペアレントロールに巻き取る前に基材に適用できる。典型的には、適用は生成する予定の実質的な数のふき取り用品と等しい幅を有するロールから巻き戻した基材に実行される。組成物の適用された基材はその後、実質的に所望のミシン目線を生成するために標準的な技術を利用して穴明けされる。或いは、基材をロールから巻戻し、正確な大きさのふき取り用品を形成するために穴明けし、折り畳み及びその後組成物を基材に適用する。
【００２１】
容器
本発明による容器は箱、桶、小袋又は他のいずれかのふき取り用品の好適な貯蔵器である。当該容器は好ましくは底壁面、頂上壁面及び側壁面を含む。好ましい実施形態において、容器は補充可能であり及びそれ自体に容器の低壁面又は頂上壁面をその後形成してよい容器のふたを含む。或いは、容器は再密封可能な細片分配開口部を含む柔軟性のある小袋であってよい。容器は目的に好適ないずれの形であってよいが、好ましくは方形の平行６面体である。容器はいずれかの好適な物質を使用して製造することができるが、好ましいのはプラスチックによる製造である。
【００２２】
本発明による容器は分配用の穴を含む。分配用の穴は壁面のいずれに位置してもよいが、好ましくは容器の頂上壁面に位置する。この実施形態において、存在する容器のふたは好ましくは容器の低壁面を形成する。分配用の穴はいずれの好適な形であることができる。好ましくは分配用の穴は隣のふき取り用品からふき取り用品を分離するのを補助をする形を含む。さらにより好ましい実施形態において、分配用の穴も広げられたふき取り用品を補助する。分配用の穴の好適な例を図７ａ〜ｌに示した。好ましい実施形態において、分配用の穴は、ふた、分配用のふたを含む。いずれのふたも好ましくは密封、湿気の保持及び使用前のふき取り用品の乾燥の遅延を提供する。分配用のふたは好ましくは簡単な開放ボタンとともに備え付けられ、例えば、押す又はユーザーによるいずれかの他の相互作用によって活性化された時、分配用のふたが開放されふき取り用品が扱える。さらに好ましい実施形態において、分配用のふたはちょうつがいを含む。
特に好ましい実施形態において、ふき取り用品は容器の内側に適合するように設計された小袋中に配置される。小袋はこのようにふき取り用品補充包装材として販売されることができるが、消費者はその後容器内で保存するだろう。小袋はこのように取り外し可能であり及び好ましくは容器に小袋を取り付け及び取り外しできるように柔軟性を有する。小袋は好ましくは再密封可能である。
【００２３】
組成物
本発明によるふき取り用品は好ましくはウェットタオルであり及び組成物を含んでいる。本発明の組成物はふき取り用品が使用されるであろう適用に好適ないずれの構成成分を含んで処方してもよい。
当該組成物は例えば固体、ペースト又は液体などいずれかの好適な形態で処方してよい。本発明による組成物が固体として処方される場合、それらは固体として基材に適用することができ、又は代わりに基材に適用する前に適切な溶媒、典型的には水を混合することができる。当該組成物が液体形態である場合、当該組成物は好ましくは、必須ではないが、水性組成物として処方される。液体組成物は好ましくは本明細書において使用するのが簡便である。
【００２４】
好ましい実施形態において、本発明による液体組成物は典型的には、全組成物の５０重量％〜９９．９重量％、好ましくは７０重量％〜９９％重量及びより好ましくは８０重量％〜９９重量％の水を含む。これらの水性組成物は好ましくは１３．０以下、より好ましくは１〜１１、及び最も好ましくは２〜１０のｐＨを有する。組成物のｐＨは有機又は無機酸、或いはアルカリ化剤を使用して調整できる。
組成物はふき取り用品の目的とする適用に依存していずれの好適なｐＨを有してもよい。本発明の好ましい実施形態において、組成物は洗浄性組成物であり及び好ましくは洗浄及び／又は殺菌に好適である。それ故、この好ましい実施形態において、洗浄性組成物は好ましくは５〜１３、より好ましくは７〜１３及び最も好ましくは８〜１０の範囲のｐＨを有する。殺菌性組成物として使用する組成物は好ましくは０〜７、より好ましくは１〜５及び最も好ましくは２〜４の範囲のｐＨを有する。
本明細書の洗浄性組成物は、これに限定されないが、過酸素漂白剤、殺菌性組成物、有機酸、界面活性剤、キレート化剤、溶媒、ビルダー、安定剤、漂白活性化剤、汚れけん濁剤、染料移行剤、光沢剤、香料、散布防止剤、酵素、分散剤、染料移行阻害剤、顔料、湿潤剤、ラジカルスカベンジャー、ｐＨ緩衝液、染料又はこれらの混合物を包含する多様な構成成分を含んでもよい。
【００２５】
界面活性剤系
本発明によって、基材は好ましくは界面活性剤系を含む組成物を含んでいる。当該界面活性剤系は少なくとも３つの界面活性剤、すなわち陰イオン、非イオン及び両性及び／又は双極性界面活性剤を含む相乗作用系からなる。
当該組成物は好ましくは全組成物の０．０５重量％〜２０重量％、より好ましくは０．１重量％〜５重量％及び最も好ましくは０．２重量％〜３重量％濃度の界面活性剤系を含む。
【００２６】
陰イオン性界面活性剤：
本明細書の使用に好適な陰イオン性界面活性剤としてはアルキルスルフェ−ト類が挙げられる。本明細書に用いるのに好適なアルキルスルフェート類には、式ＲＯＳＯ３Ｍの水溶性塩又は酸が挙げられ、式中、ＲはＣ６〜Ｃ２４の直鎖又は分岐、飽和又は不飽和アルキル基であり、好ましくはＣ８〜Ｃ２０アルキル基であり、より好ましくはＣ８〜Ｃ１６アルキル基であり及び最も好ましくはＣ１０〜Ｃ１４アルキル基であり、及びＭはＨ又はカチオンであり、例えばアルカリ金属カチオン（例えば、ナトリウム、カリウム、リチウム）、又はアンモニウム若しくは置換アンモニウム（例えば、メチル−、ジメチル−、及びトリメチルアンモニウムカチオン、及びテトラメチルアンモニウム、及びジメチルピペリジニウムカチオンのような、四級アンモニウム陽イオン、及びエチルアミン、ジエチルアミン、トリエチルアミン、及びこれらの混合物のようなアルキルアミン類から誘導される四級アンモニウムカチオン、及びその他同様のもの）である。
【００２７】
本明細書の使用に好適な陰イオン性界面活性剤としてはさらにアルキルアリ−ルスルフェ−ト類が挙げられる。本明細書に用いるのに好適なアルキルアリールスルフェ−ト類には、式ＲＯＳＯ３Ｍの水溶性塩又は酸が挙げられ、式中、Ｒはアリール、好ましくは置換されたベンジルであり、この置換基はＣ６〜Ｃ２４の直鎖又は分岐、飽和又は不飽和アルキル基であり、好ましくはＣ８〜Ｃ２０アルキル基であり、及びより好ましくはＣ１０〜Ｃ１６アルキル基であり、そしてＭはＨ又はカチオンであり、例えばアルカリ金属カチオン（例えば、ナトリウム、カリウム、リチウム、カルシウム、マグネシウム及びその他同様のもの）、又はアンモニウム又は置換アンモニウム（例えば、メチル−、ジメチル−、及びトリメチルアンモニウムカチオン、並びにテトラメチルアンモニウムそしてジメチルピペリジニウムカチオンのような四級アンモニウムカチオン、並びにエチルアミン、ジエチルアミン、トリエチルアミン、及びこれらの混合物のようなアルキルアミンから得られる四級アンモニウムカチオン及びその他同様のもの）である。
【００２８】
本明細書の使用に好適な陰イオン性界面活性剤としてはさらにアルコキシル化スルフェ−ト界面活性剤が挙げられる。本明細書に用いるのに好適なアルコキシル化フェ−ト界面活性剤は、式ＲＯ（Ａ）ｍＳＯ３Ｍに従うものであって、式中、Ｒは直鎖状又は分岐状Ｃ６〜Ｃ２４のアルキル成分を有する非置換Ｃ６〜Ｃ２４アルキル、ヒドロキシアルキル又はヒドロキシアルキル基であり、好ましくはＣ１２〜Ｃ２０のアルキル又はヒドロキシアルキルであり、より好ましくはＣ１２〜Ｃ１８のアルキル又はヒドロキシアルキルであり、Ａはエトキシ又はプロポキシ或いはブトキシ単位若しくはこれらの混合物であり、ｍは０より大きく、典型的に約０．５から約６の間であり、より好ましくは約０．５から約３の間であり、ＭはＨ又はカチオンであって、このカチオンは例えば、金属カチオン（例えば、ナトリウム、カリウム、リチウム、カルシウム、マグネシウム等）、アンモニウム又は置換アンモニウムカチオンであり得る。アルキルエトキシ化スルフェ−ト、アルキルブトキシ化スルフェ−ト並びにアルキルプロポキシル化スルフェ−トが本明細書において考慮される。置換アンモニウムカチオンの具体的な例としては、メチル−、ジメチル−、トリメチルアンモニウムカチオン、及びテトラメチルアンモニウム、ジメチルピペリジニウムのような、四級アンモニウムカチオン、及びエチルアミン、ジエチルアミン、トリエチルアミン、及びこれらの混合物のようなアルカノールアミンから得られるカチオン等が挙げられる。代表的な界面活性剤はＣ１２〜Ｃ１８アルキルポリエトキシレート（１．０）スルフェート（Ｃ１２〜Ｃ１８Ｅ（１．０）ＳＭ））、Ｃ１２〜Ｃ１８アルキルポリエトキシレート（２．２５）スルフェート（Ｃ１２〜Ｃ１８Ｅ（２．２５）ＳＭ）、Ｃ１２〜Ｃ１８アルキルポリエトキシレート（３．０）スルフェート（Ｃ１２〜Ｃ１８Ｅ（３．０）ＳＭ）、及びＣ１２〜Ｃ１８アルキルポリエトキシレート（４．０）スルフェート（Ｃ１２〜Ｃ１８Ｅ（４．０）ＳＭ）であり、式中Ｍは簡便にナトリウム及びカリウムから選択される。
【００２９】
本明細書の使用に好適な陰イオン性界面活性剤としてはさらにアルキルスルホネート類が挙げられる。本明細書で使用するのに好適なアルキルスルホネート類には、式ＲＳＯ３Ｍの水溶性の塩又は酸が挙げられ、式中、ＲはＣ６〜Ｃ２０の線状又は分枝状の、飽和又は不飽和のアルキル基、好ましくはＣ８〜Ｃ１８のアルキル基及びさらに好ましくはＣ１４〜Ｃ１７のアルキル基であり、Ｍは、Ｈ、又はカチオン、例えば、アルカリ金属カチオン（例えば、ナトリウム、カリウム、リチウム）、又は、アンモニウム若しくは置換アンモニウム（例えば、メチル−、ジメチル−、及びトリメチルアンモニウムカチオン及び例えばテトラメチル−アンモニウム及びジメチルピペルジニウムカチオンのような第四級アンモニウムカチオン、及びエチルアミン、ジエチルアミン、トリエチルアミンのようなアルキルアミンに由来する第四級アンモニウムカチオン、及びそれらの混合物、及びその他同様のもの）である。
【００３０】
本明細書の使用に好適な陰イオン性界面活性剤としてはさらにアルキルアリ−ルスルホネート類が挙げられる。本明細書に用いるのに好適なアルキルアリールスルホネート類には、式ＲＳＯ３Ｍの水溶性塩又は酸が挙げられ、式中、Ｒはアリール、好ましくは置換されたベンジルであり、この置換基はＣ６〜Ｃ２０の直鎖又は分岐、飽和又は不飽和アルキル基であり、好ましくはＣ８〜Ｃ１８アルキル基であり、及びより好ましくはＣ９〜Ｃ１４アルキル基であり、そしてＭはＨ又はカチオンであり、例えばアルカリ金属カチオン（例えば、ナトリウム、カリウム、リチウム、カルシウム、マグネシウム等）、又はアンモニウム若しくは置換アンモニウム（例えば、メチル−、ジメチル−、及びトリメチルアンモニウムカチオン、及びテトラメチルアンモニウム、及びジメチルピペリジニウムカチオンのような、四級アンモニウムカチオン、及びエチルアミン、ジエチルアミン、トリエチルアミン、及びこれらの混合物のようなアルキルアミンから得られる四級アンモニウムカチオン、及びその他同様のもの）である。
【００３１】
特に好適なアルキルスルホネート類には、ヘキスト（Ｈｏｅｃｈｓｔ）から入手可能なホスタプール（Ｈｏｓｔａｐｕｒ）（登録商標）ＳＡＳのようなＣ１４〜Ｃ１７のパラフィンスルホネート類が挙げられる。市販アルキルアリ−ルスルホネートの例はＳｕ．Ｍａ．からのラウリルアリ−ルスルホネートである。特に好ましいアルキルアリ−ルスルホネート類はアルブライト＆ウィルソン（Ａｌｂｒｉｇｈｔ ＆ Ｗｉｌｓｏｎ）から入手可能な商品名ナンサ（Ｎａｎｓａ）（登録商標）で市販されているアルキルベンゼンスルホネート類である。
【００３２】
本明細書の使用に好適な陰イオン性界面活性剤としてはさらにアルコキシル化スルホネート界面活性剤が挙げられる。本明細書に用いるのに好適なアルコキシル化スルホネート界面活性剤は、式Ｒ（Ａ）ｍＳＯ３Ｍに従うものであって、式中、Ｒは直鎖状又は分岐状のＣ６〜Ｃ２０のアルキル成分を有する非置換Ｃ６〜Ｃ２０アルキル、ヒドロキシアルキル又はヒドロキシアルキル基であり、好ましくはＣ１２〜Ｃ２０のアルキル又はヒドロキシアルキルであり、より好ましくはＣ１２〜Ｃ１８のアルキル又はヒドロキシアルキルであり、Ａはエトキシ又はプロポキシ或いはブトキシ単位若しくはこれらの混合物であり、ｍは０より大きく、典型的に約０．５から約６の間であり、より好ましくは約０．５から約３の間であり、ＭはＨ又はカチオンであって、このカチオンは例えば、金属カチオン（例えば、ナトリウム、カリウム、リチウム、カルシウム、マグネシウム等）、アンモニウム又は置換アンモニウムカチオンであり得る。アルキルエトキシ化スルホネ−ト類、アルキルブトキシ化スルホネ−ト類並びにアルキルプロポキシル化スルホネ−ト類が本明細書において考慮される。置換アンモニウムカチオンの具体的な例としては、メチル−、ジメチル−、トリメチルアンモニウムカチオン、及びテトラメチルアンモニウム、ジメチルピペリジニウムのような四級アンモニウムカチオン、及びエチルアミン、ジエチルアミン、トリエチルアミン、及びこれらの混合物のようなアルカノールアミンから得られるカチオン、及びその他同様のものが挙げられる。代表的な界面活性剤はＣ１２〜Ｃ１８アルキルポリエトキシレート（１．０）スルフェート（Ｃ１２〜Ｃ１８Ｅ（１．０）ＳＭ））、Ｃ１２〜Ｃ１８アルキルポリエトキシレート（２．２５）スルフェート（Ｃ１２〜Ｃ１８Ｅ（２．２５）ＳＭ）、Ｃ１２〜Ｃ１８アルキルポリエトキシレート（３．０）スルフェート（Ｃ１２〜Ｃ１８Ｅ（３．０）ＳＭ）、及びＣ１２〜Ｃ１８アルキルポリエトキシレート（４．０）スルフェート（Ｃ１２〜Ｃ１８Ｅ（４．０）ＳＭ）であり、式中Ｍは簡便にナトリウム及びカリウムから選択される。特に好ましいアルコキシル化スルホネート類としてはユニオンカーバイド（Ｕｎｉｏｎ Ｃａｒｂｉｄｅ）から入手可能なトライトン（Ｔｒｉｔｏｎ）Ｘ−２００（登録商標）などのアルキルアリ−ルポリエーテルスルホネート類が挙げられる。
【００３３】
本明細書に使用するのに好適な陰イオン界面活性剤としてはさらにＣ６〜Ｃ２０アルキルアルコキシル化直鎖状又は分岐状ジフェニルオキシドジスルホネート界面活性剤が挙げられる。本明細書に使用するのに好適なＣ６〜Ｃ２０アルキルアルコキシル化直鎖状又は分岐状ジフェニルオキシドジスルホネート界面活性剤は次の式によるものである：
【００３４】
【化１】
2004501697.tif 000003
【００３５】
式中ＲはＣ６〜Ｃ２０直鎖状又は分岐状、飽和又は不飽和アルキル基、好ましくはＣ６〜Ｃ１８アルキル基及びより好ましくはＣ６〜Ｃ１４アルキル基であり、及びＸ＋はＨ又はカチオン、例えばアルカリ金属カチオン（例えばナトリウム、カリウム、リチウム、カルシウム、マグネシウム及びその他同様のもの）である。本明細書に使用すべき特に好適なＣ６〜Ｃ２０アルキルアルコキシル化直鎖状又は分枝状ジフェニルオキシドジスルホネート界面活性剤はそれぞれ商品名ダウファックス（Ｄｏｗｆａｘ）２Ａ１（登録商標）及びダウファックス８３９０（登録商標）でダウより入手可能なＣ１２分岐状ジフェニルオキシドジスルホン酸及びＣ１６直鎖状ジフェニルオキシドジスルホネートナトリウム塩である。
【００３６】
本明細書の使用に好適な他の陰イオン性界面活性剤としてはアルキルカルボキシレート類が挙げられる。他の陰イオン界面活性剤には、石鹸の塩（例えばナトリウム、カリウム、アンモニウム塩、及びモノ−、ジ−及びトリエタノールアミン塩のような置換アンモニウム塩が挙げられる）、Ｃ８〜Ｃ２４オレフィンスルホネート、例えば英国特許明細書第１，０８２，１７９号に記載されているように、アルカリ土類金属クエン酸塩の熱分解生成物のスルホン化により調製される、スルホン化ポリカルボン酸；アシルグリセロールスルホン酸塩、脂肪オレイルグリセロール硫酸塩、アルキルフェノールエチレンオキシドエーテル硫酸塩、アルキルリン酸塩、アシルイセチオン酸塩のようなイセチオン酸塩、Ｎ−アシルタウリン酸塩、アルキルスクシナメート及びスルホサクシネート、スルホサクシネートのモノエステル（とりわけ飽和及び不飽和のＣ１２〜Ｃ１８モノエステル）、スルホサクシネートのジエステル（とりわけ飽和及び不飽和のＣ６〜Ｃ１４ジエステル）、アシルサルコシネート、アルキルポリグルコシドの硫酸塩のようなアルキル多糖類の硫酸塩（下記の非イオン性非硫酸化化合物）、分岐一級アルキル硫酸塩式ＲＯ（ＣＨ２ＣＨ２Ｏ）ＫＣＨ２ＣＯＯ−Ｍ＋のようなアルキルポリエトキシカルボキシレートであって、式中、ＲはＣ８〜Ｃ２２アルキルであり、Ｋは０〜１０の整数であり、及びＭは可溶性塩生成カチオンであるもの、が挙げられる。ロジン、水素添加ロジンなどの樹脂酸及び水素添加樹脂酸も好適であり、樹脂酸及び水素添加樹脂酸はトール油中に存在するか又はトール油から誘導される。更なる例は「界面活性剤及び洗剤」（Ｓｕｒｆａｃｅ Ａｃｔｉｖｅ Ａｇｅｎｔｓ ａｎｄ Ｄｅｔｅｒｇｅｎｔｓ）（Ｉ及びＩＩ巻、Ｓｃｈｗａｒｔｚ、Ｐｅｒｒｙ及びＢｅｒｃｈ著）に記載されている。そのような多様な界面活性剤は一般に米国特許第３，９２９，６７８号（Ｌａｕｇｈｌｉｎら、１９７５年１２月３０日発行）の２３段５８行〜２９段２３行に記載されている。
【００３７】
一つの好ましい実施形態において、本明細書の使用に好ましい陰イオン性界面活性剤はＣ８〜Ｃ１６アルキルスルホネート類、分岐状アルキルスルフェート類を包含するＣ８〜Ｃ１６アルキルスルフェート類、Ｃ８〜Ｃ１６アルキルアルコキシル化スルフェート類（例えば、Ｃ８〜Ｃ１６アルキルエトキシ化スルフェート類）、Ｃ８〜Ｃ１６アルキルアルコキシル化スルホネート類及びこれらの混合物である。かかる陰イオン性界面活性剤はそれらが本明細書の殺菌性組成物の殺菌特性に有利に作用することが認められており本明細書において好ましい。例えば、Ｃ８〜Ｃ１６アルキルスルフェートは細菌の細胞膜を破壊することによって酵素活性を阻害し、細胞質輸送及び／又は細胞質たんぱく質の変性を妨害するように作用する。実際、本発明による組成物においてさらに陰イオン性界面活性剤、とりわけ、Ｃ８〜Ｃ１６アルキルスルホネート、Ｃ８〜Ｃ１６アルキルスルフェート及び／又はＣ８〜Ｃ１６アルキルアルコキシル化スルフェートの添加に関連する改善された殺菌性能は、前記界面活性剤の複数の様式による細菌に対する攻撃のためであろうと思われる。
【００３８】
第二の好ましい実施形態において、陰イオン性界面活性剤はＣ６〜２４アルキルスルフェート類；Ｃ６〜２４アルキルアリ−ルスルフェート類；Ｃ６〜２４アルキルアルコキシル化スルフェート類；パラフィンスルホネート類を包含するＣ６〜２４アルキルスルホネート類；Ｃ６〜２４アルキルアリ−ルスルホネート類；Ｃ６〜２４アルキルアルコキシル化スルホネート類；Ｃ６〜Ｃ２４アルキルアルコキシル化直鎖状又は分岐状ジフェニルオキシドジスルホネート類；ナフタレンスルホネ−ト類；及びこれらの混合物からなる群から選択される。より好ましい陰イオン性界面活性剤は：Ｃ６〜２４アルキルスルホネート類；Ｃ６〜２４アルキルスルフェート類；Ｃ６〜２４アルキルアルコキシル化スルフェート類；Ｃ６〜２４アルキルアリ−ルスルホネート類及びこれらの混合物からなる群から選択される。さらにより好ましくは本明細書に使用する陰イオン性界面活性剤はパラフィンスルホネートである。最も好ましくは、本明細書に使用する陰イオン性界面活性剤はＣ１４〜Ｃ１７パラフィンスルホネートである。
【００３９】
第三の好ましい実施形態において、陰イオン性界面活性剤は分岐状アルキルスルフェート界面活性剤である。分岐状アルキルスルフェートは本明細書においてスルフェート基及び好ましくは２〜２０、より好ましくは２〜１６、もっとも好ましくは２〜８個の炭素原子の炭素鎖を含むアルキルスルフェートを意味するものとして定義される。分岐状アルキルスルフェートの炭素鎖は炭素鎖に結合する少なくとも１つの分岐状官能基を含む。分岐状官能基は１〜２０、より好ましくは１〜１０及び最も好ましくは１〜４個の炭素原子を有するアルキル基からなる群から選択される。分岐状官能基は分枝状アルキルスルフェートのアルキル鎖に沿ったいずれの位置に配置されてもよい。より好ましくは分枝状官能基はアルキル鎖に沿った１〜４の位置に配置される。スルフェート基はアルキル鎖の長さに沿ったいずれの位置にあることもできるが、最も好ましくは末端部分である。
好適な好ましい分岐状アルキルスルフェート類としては、商品名エンピコール（Ｅｍｐｉｃｏｌ）０５８５／Ａでアルブライト＆ウィルソン（Ａｌｂｒｉｇｈｔ ＆ Ｗｉｌｓｏｎ）から入手可能なそれらが挙げられる。
【００４０】
非イオン性界面活性剤
本明細書で用いるのに好適な非イオン性界面活性剤は脂肪族アルコールエトキシレート及び／又はプロポキシレートであり、様々な脂肪族アルコールを有するものが鎖長及び様々なエトキシ化度購入可能である。事実、こうしたアルコキシル化非イオン性界面活性剤のＨＬＢ値は、基本的に脂肪族アルコールの鎖長、アルコキシ化の過程及びアルコキシ化度に左右される。非イオン性物質を包含する多数の界面活性剤をそのＨＬＢ値とともに記載したカタログが入手可能である。１つの実施形態に好ましい非イオン性界面活性剤は８〜２０、より好ましくは１０〜１８、最も好ましくは１１〜１６の平均ＨＬＢを有するそれらである。これらの疎水性の非イオン性界面活性剤は良好なグリース分解能力を発揮する。
【００４１】
本発明に基づく組成物に用いられる好ましい疎水性の非イオン性界面活性剤はＨＬＢ値が１６未満であり、化学式ＲＯ−（Ｃ２Ｈ４Ｏ）ｎ（Ｃ３Ｈ６Ｏ）ｍＨに基づき、上の化学式において、ＲはＣ６〜Ｃ２２のアルキル鎖又はＣ６〜Ｃ２８のアルキルベンゼン鎖であり、ｎとｍの和は０〜２０、ｎは０〜１５、ｍは０〜２０であり、好ましくはｎとｍの和は１〜１５、ｎ及びｍは０．５〜１５であり、更に好ましくはｎとｍの和が１〜１０、ｎ及びｍが０〜１０である。本明細書に用いるのに好ましいＲ鎖はＣ８〜Ｃ２２のアルキル鎖である。従って、本明細書に用いるのに好適な疎水性の非イオン性界面活性剤はドバノール（Ｄｏｂａｎｏｌ）（登録商標）９１−２．５（ＨＬＢ値は８．１、ＲがＣ９及びＣ１１アルキル鎖の混合物であり、ｎは２．５、ｍは０である）又はルテンソール（Ｌｕｔｅｎｓｏｌ）（登録商標）ＴＯ３（ＨＬＢ値は８、ＲがＣ１３アルキル鎖であり、ｎは３、ｍは０である）又はルテンソール（Ｌｕｔｅｎｓｏｌ）（登録商標）ＡＯ３（ＨＬＢ値は８、ＲがＣ１３及びＣ１５アルキル鎖の混合物であり、ｎは３、ｍは０である）又はタジノール（ｔｅｒｇｉｔｏｌ）（登録商標）２５Ｌ３（ＨＬＢ値は７．７、ＲがＣ１２からＣ１５のアルキル鎖長の範囲内であり、ｎは３、ｍは０である）又はドバノール（Ｄｏｂａｎｏｌ）（登録商標）２３−３（ＨＬＢ値は８．１、ＲがＣ１２及びＣ１３アルキル鎖の混合物であり、ｎは３、ｍは０である）又はドバノール（Ｄｏｂａｎｏｌ）（登録商標）２３−２（ＨＬＢ値は６．２、ＲがＣ１２及びＣ１３アルキル鎖の混合物であり、ｎは２、ｍは０である）又はドバノール（Ｄｏｂａｎｏｌ）（登録商標）４５−７（ＨＬＢ値は１１．６、ＲがＣ１４及びＣ１５アルキル鎖の混合物であり、ｎは７、ｍは０である）又はドバノール（Ｄｏｂａｎｏｌ）（登録商標）２３−６．５（ＨＬＢ値は１１．９、ＲはＣ１２及びＣ１３アルキル鎖の混合物であり、ｎは６．５、ｍは０である）又はドバノール（Ｄｏｂａｎｏｌ）（登録商標）２５−７（ＨＬＢ値は１２、ＲがＣ１２及びＣ１５アルキル鎖の混合物であり、ｎは７、ｍは０である）又はドバノール（Ｄｏｂａｎｏｌ）（登録商標）９１−５（ＨＬＢ値は１１．６、ＲがＣ９及びＣ１１アルキル鎖の混合物であり、ｎは５、ｍは０である）又はドバノール（Ｄｏｂａｎｏｌ）（登録商標）９１−６（ＨＬＢ値は１２．５、ＲがＣ９及びＣ１１アルキル鎖の混合物であり、ｎは６、ｍは０である）又はドバノール（Ｄｏｂａｎｏｌ）（登録商標）９１−８（ＨＬＢ値は１３．７、ＲがＣ９及びＣ１１アルキル鎖の混合物であり、ｎは８、ｍは０である）又はドバノール（Ｄｏｂａｎｏｌ）（登録商標）９１−１０（ＨＬＢ値は１４．２、ＲがＣ９からＣ１１のアルキル鎖であり、ｎは１０、ｍは０である）又はこれらの混合物である。本明細書に用いるのに好ましいのはドバノール（Ｄｏｂａｎｏｌ）（登録商標）９１−２．５又はルテンソール（Ｌｕｔｅｎｓｏｌ）（登録商標）ＴＯ３又はルテンソール（Ｌｕｔｅｎｓｏｌ）（登録商標）Ａ０３又はタージノール（Ｔｅｒｇｉｔｏｌ）（登録商標）２５Ｌ３又はドバノール（Ｄｏｂａｎｏｌ）（登録商標）２３−３又はドバノール（Ｄｏｂａｎｏｌ）（登録商標）２３−２又はこれらの混合物である。これらのドバノール（Ｄｏｂａｎｏｌ）（登録商標）界面活性剤はシェル（ＳＨＥＬＬ）社から購入できる。これらのルテンソール（Ｌｕｔｅｎｓｏｌ）（登録商標）界面活性剤はＢＡＳＦ社から、これらのタージノール（Ｔｅｒｇｉｔｏｌ）（登録商標）界面活性剤はユニオンカーバイド社から入手可能である。
【００４２】
好ましい実施形態において、本明細書の非イオン性界面活性剤は、式ＲＯ−（Ａ）ｎＨに従うアルコキシル化非イオン界面活性剤であり：式中、ＲはＣ６〜Ｃ２２の、好ましくはＣ８〜Ｃ２２の、より好ましくはＣ９〜Ｃ１４アルキル鎖、又はＣ６〜Ｃ２８のアルキルベンゼン鎖であり；Ａはエトキシ又はプロポキシ又はブトキシ単位であり；及び式中、ｎは０〜２０、好ましくは１〜１５、そしてより好ましくは２〜１５、更により好ましくは２〜１２、そして最も好ましくは４〜１０である。本明細書に用いるのに好ましいＲ鎖はＣ８〜Ｃ２２のアルキル鎖である。本明細書に用いるのにさらにより好ましいＲ鎖はＣ９〜Ｃ１２のアルキル鎖である。エトキシ／ブトキシ化、エトキシ／プロポキシル化、ブトキシ／プロポキシル化、及びエトキシ／ブトキシ／プロポキシル化非イオン性界面活性剤も又、本明細書において用いてもよい。好ましいアルコキシル化非イオン性界面活性剤はエトキシ化非イオン性界面活性剤である。
【００４３】
本明細書で使用するのに好適なアルキル多糖類は、米国特許第４，５６５，６４７号（１９８６年１月２１日発行、レナード（Ｌｌｅｎａｄｏ））で開示されており、約６〜約３０の炭素原子、好ましくは約１０〜約１６の炭素原子を含有する疎水性基及び例えば、ポリグリコシドのような、多糖類の親水性基を有する。すすぎのない方法において使用するのに好適な酸性又はアルカリ性洗浄用組成物／溶液については、好ましいアルキル多糖類は、鎖長の幅広い分布を含むのが好ましく、これらが、濡らすこと、清浄すること及び乾燥に際して残留物が少ないことの最良の組合せを提供する。この「幅広い分布」は、約１０の炭素原子〜約１６の炭素原子を含む、少なくとも約５０％の鎖長混合物によって定義される。好ましくは、アルキル多糖類のアルキル基は、好ましくは約６〜約１８の炭素原子、更に好ましくは約８〜約１６の炭素原子の鎖長、及び分子当り約１〜約１．５の糖の基、好ましくはグルコシド基を含有する親水性基の混合物から成る。この「幅広い鎖長分布」は、約１０の炭素原子〜約１６の炭素原子を含む、少なくとも約５０％の鎖長混合物によって定義される。鎖長の幅広い混合物、特にＣ８〜Ｃ１６は、さらに狭い範囲の鎖長混合物に比較して、特に低い（すなわち、Ｃ８〜Ｃ１０又はＣ８〜Ｃ１２）鎖長のアルキルポリグルコシド混合物に比較して極めて望ましい。好ましいＣ８〜１６のアルキルポリグルコシドは、さらに低くさらに狭い鎖長のアルキルポリグルコシド並びに、Ｃ８〜Ｃ１４のアルキルエトキシレートを包含する、その他の好ましい界面活性剤に対して、はるかに改善された香料溶解度を提供することも判っている。炭素原子数５又は６の還元性のいかなるサッカライドも使用でき、例えばグルコース、ガラクトースであり、ガラクトシル部分はグルコシル部分で置換されていてもよい。（任意で疎水性基を２−、３−、４−等の位置に結合して、グルコシド又はガラクトシドに対立するものとしてグルコース又はガラクトースを生じる。）サッカライド間結合は、例えば、付加させるサッカライド単位のどれかの位置と、元のサッカライド単位の２−、３−、４−、及び／又は６−位との間で形成させることができる。グリコシルは好ましくはグルコースから誘導される。
【００４４】
任意に、望ましいというわけではないが、疎水部分と多糖部分を結合するポリアルキレンオキシド鎖が存在し得る。好ましいアルキレンオキシドはエチレンオキシドである。典型的な疎水基としては炭素原子８〜１８、好ましくは１０〜１６を有する飽和又は不飽和の分岐鎖又は直鎖アルキル基がある。好ましくは、アルキル基は直鎖飽和アルキル基である。アルキル基は、約３以内の水酸基を含有し、及び／又はポリアルキレンオキシド鎖は約１０以内、好ましくは５未満のアルキレンオキシド部分を含有することができる。好適なアルキル多糖類はオクチル、ノニルデシル、ウンデシルドデシル、トリデシル、テトラデシル、ペンタデシル、ヘキサデシル、ヘプタデシル、オクタデシル、ジ、トリ、テトラ、ペンタ及びヘキサグルコシド類、及び／又はガラクトース類である。好適な混合物としてはココナツアルキル、ジ、トリ、テトラ及びペンタグルコシド類とタローアルキル、テトラ、ペンタ及びヘキサグルコシド類がある。
【００４５】
これらの化合物を調製するため、アルコール又はアルキルポリエトキシアルコールが最初に形成され、しかる後グルコース又はグルコース源と反応せしめられて、グルコシドを形成する（１位で結合）。次いで追加グリコシル単位はそれらの１位と既存グリコシル単位の２、３、４及び／又は６位、好ましくは主に２位との間で結合させることができる。
【００４６】
アルキルポリグリコシド類では、糖部分は、加水分解された多糖類から創られるが、アルキル部分は、脂肪、油又は化学的に生成されたアルコールから誘導することができる。アルキルポリグリコシド類は、脂肪族アルコールと相対的親水性を画定するグルコース単位の数を伴った、グルコースのような糖類の縮合生成物である。上記で議論したように、脂肪族アルコールとの反応の前又は後のいずれかで糖単位をアルコキシル化することができる。例えば、かかるアルキルポリグリコシド類は、ＷＯ８６／０５１９９号に詳細に記載されている。典型的なアルキルポリグリコシド類は一般に、分子的に均一な生成物ではないが、アルキル基の混合物及び単糖類と別のオリゴ多糖類の混合物を表す。アルキルポリグリコシド類（「ＡＰＧ」ともいわれることがある）は、その他の界面活性剤に比べて、表面の外観において追加的な改善を提供するので、発明の目的にとって好ましい。グリコシド部分は、好ましくはグルコース部分である。アルキル置換基は好ましくは、約８〜約１８の炭素原子、好ましくは約８〜約１０の炭素原子を含有する飽和又は不飽和のアルキル部分、又はかかるアルキル部分の混合物である。Ｃ８〜Ｃ１６のアルキルポリグルコシド類は、セピックコーポレーション（Ｓｅｐｐｉｃ Ｃｏｒｐｏｒａｔｉｏｎ）（フランスの７５ Ｑｕａｉ ｄ’Ｏｒｓａｙ、７５３２１ パリ、Ｃｅｄｅｘ ７））から市販されている（例えば、シムソル（Ｓｉｍｕｓｏｌ）（登録商標）界面活性剤及びヘンケルから入手可能なグルコポン（Ｇｌｕｃｏｐｏｎ）（登録商標）４２５である。しかしながら、アルキルポリグルコシドの純度は、性能、特に日常のシャワー製品技術を含む、特定の製品の最終結果にも影響し得ることが見い出されている。本発明では、好ましいアルキルポリグルコシド類は、パーソナル洗浄で使用するのに十分な程度に精製されたものである。最も好ましいのは「化粧品等級」のアルキルポリグルコシドであり、特にＣ８〜Ｃ１６アルキルポリグルコシドが好ましい。これには例えば、ヘンケル・コーポレーション（Ｈｅｎｋｅｌ Ｃｏｒｐｏｒａｔｉｏｎ）、ドイツ、デュッセルドルフ、Ｄ４０１９１、私書箱１０１１００）から入手可能なプランタレン（Ｐｌａｎｔａｒｅｎ）２０００（登録商標）、プランタレン２０００Ｎ（登録商標）、及びプランタレン２０００Ｎ  ＵＰ（登録商標）がある。
【００４７】
両性／双極性界面活性剤：
本明細書に用いるのに好適な両性イオン系界面活性剤には、次の式Ｒ１Ｒ２Ｒ３ＮＯを有するアミンオキシドが挙げられ、式中、各Ｒ１、Ｒ２、及びＲ３はそれぞれ独立して、１〜３０の炭素原子の、飽和の置換又は非置換、直鎖又は分岐の炭化水素鎖である。本発明により用いられるのに好ましいアミンオキシド界面活性剤は、次の式Ｒ１Ｒ２Ｒ３ＮＯを有するアミンオキシドであり、式中、Ｒ１は、１〜３０の、好ましくは６〜２０の、より好ましくは８〜１６の、最も好ましくは８〜１２の炭素原子を含む炭化水素鎖であり、そして式中、Ｒ２及びＲ３はそれぞれ独立して、１〜４の炭素原子を、好ましくは１〜３の炭素原子を含む、置換又は非置換、直鎖又は分枝の炭化水素鎖であるが、より好ましくはメチル基である。Ｒ１は飽和で、置換又は非置換、直鎖又は分枝の炭化水素鎖であってもよい。
【００４８】
本明細書に用いるのに好適なアミンオキシドは、例えば天然ブレンドのＣ８〜Ｃ１０のアミンオキシド、並びにヘキスト（Ｈｏｅｃｈｓｔ）及びクラリアント（Ｃｌａｒｉａｎｔ）より入手可能なＣ１２〜Ｃ１６のアミンオキシドである。
本明細書に用いるのに好適な双極性界面活性剤は比較的広いｐＨ範囲下で同一分子にカチオン性及び陰イオン性親水性基の両方を有する。典型的なカチオン性基は四級アンモニウム基であるが、ホスホニウム、イミダゾリウム及びスルホニウム基などその他の正電荷をもつ基を用いることもできる。硫酸塩、ホスホン酸塩等の他の基も用いることができるが、典型的な陰イオン性親水性基はカルボン酸塩及びスルホン酸塩である。本明細書で用いられるいくつかの双極性界面活性剤の一般的な式は下記の通りである。
【００４９】
Ｒ１−Ｎ＋（Ｒ２）（Ｒ３）Ｒ４Ｘ−
上記の式においてＲ１は疎水性基であり、Ｒ２及びＲ３は、それぞれＣ１〜Ｃ４アルキル、ヒドロキシアルキル又はＮと結合して環状構造を形成することもできるその他の置換アルキル基であり、Ｒ４はカチオン性窒素原子を親水性基に結合させる部分であって、典型的にはアルキレン、ヒドロキシアルキレン又は１〜１０個の炭素原子を含むポリアルコキシ基であり、Ｘは親水性基であって、好ましくはカルボキシレート又はスルホネート基である。好ましい疎水性基Ｒ１は１〜２４個、好ましくは１８個未満、更に好ましくは１６個未満の炭素原子を含むアルキル基である。疎水性基は不飽和及び／又は置換基及び／又はアリール基、アミド基、エステル基などの結合基を含有できる。一般に、コスト及び安定性の面からは単純なアルキル基が好ましい。
非常に好ましい双極性界面活性剤としてはベタイン及びスルホベタイン界面活性剤、アシルベタイン類、アルキルイミダゾリンアラニンベタイン類、グリシンベタイン類これらの誘導体及びこれらの混合物などの官能化ベタインが挙げられる。前記ベタイン又はスルホベタイン界面活性剤が本明細書に用いるのに好ましいのは、これらが細菌の細胞壁の透過性を増大させ、他の活性成分を細菌細胞に入りやすくさせることで殺菌作用を助けるためである。
【００５０】
更に、前記ベタイン又はスルホベタイン界面活性剤は穏やかな作用を有するため、例えば、細心の注意が必要な洗濯物、食物及び／又は乳幼児が触れる表面など、細心の注意が必要な表面の洗浄に特に好適である。又、ベタイン及びスルホベタイン界面活性剤は皮膚、／又は処理表面に対してきわめて刺激が少ない。
又、本明細書で用いるのに好適なベタイン及びスルホベタイン界面活性剤はその分子が塩基性及び酸性基の両方を有し、内部塩を形成することによって、広いｐＨ範囲下でその分子がカチオン性及び陰イオン性親水性基のいずれをも有することになるベタイン／スルホベタイン及びベタイン様洗浄剤である。こうした洗浄剤のうちよく知られた例のいくつかは米国特許第２，０８２，２７５号、米国特許第２，７０２，２７９号及び米国特許第２，２５５，０８２号に記載があり、これは本明細書の参照文献に組み込まれている。本明細書の好ましいベタイン及びスルホベタイン界面活性剤は以下の式によるものである。
【００５１】
【化２】
2004501697.tif 000004
【００５２】
式中Ｒ１は１〜２４、好ましくは８〜１８、より好ましくは１２〜１４個の炭素原子を含有する炭化水素鎖であり、式中Ｒ２及びＲ３は１〜３炭素原子、好ましくは１炭素原子を含有する炭化水素鎖であり、ｎは１〜１０、好ましくは１〜６、より好ましくは１の整数であり、Ｙはカルボキシル及びスルホニル基からなる群から選択され及びＲ１、Ｒ２及びＲ３炭化水素鎖の合計は１４〜２４個の炭素原子、又はこれらの混合物である。
特に好適なベタイン界面活性剤の例にはココナッツベタインなどのＣ１２〜Ｃ１８アルキルジメチルベタイン及びラウリルベタインなどのＣ１０〜Ｃ１６アルキルジメチルベタインが挙げられる。ココナッツベタインはアモニル（Ａｍｏｎｙｌ）２６５（登録商標）という商品名でセピック（Ｓｅｐｐｉｃ）社から入手可能である。ラウリルベタインはエムピゲン（Ｅｍｐｉｇｅｎ）ＢＢ／Ｌ（登録商標）という商品名でアルブライト  アンド  ウィルソン社（Ａｌｂｒｉｇｈｔ ＆ Ｗｉｌｓｏｎ）から購入できる。
【００５３】
他の双極性界面活性剤は以下の一般式を有する：
Ｒ１−Ｃ（Ｏ）−Ｎ（Ｒ２）−（Ｃ（Ｒ３）２）ｎ−Ｎ（Ｒ２）２（＋）−（Ｃ（Ｒ３）２）ｎＳＯ３（−）
又は
Ｒ１−Ｃ（Ｏ）−Ｎ（Ｒ２）−（Ｃ（Ｒ３）２）ｎ−Ｎ（Ｒ２）２（＋）−（Ｃ（Ｒ３）２）ｎ−ＣＯＯ（−）
式中Ｒ１は炭化水素、例えば８〜２０、好ましくは１８まで、より好ましくは１６個までの炭素原子を含有するアルキル基であり、それぞれＲ２は水素（アミド窒素に結合するとき）、１〜４個の炭素原子を含有する短鎖アルキル又は置換アルキル、好ましくはメチル、エチル、プロピル、ヒドロキシ置換エチル又はプロピル及びこれらの混合物からなる群から選択される官能基、好ましくはメチルのいずれかであり、それぞれＲ３は水素及びヒドロキシ基からなる群から選択され及びそれぞれｎは１〜４、好ましくは２〜３、より好ましくは３の数であり、いずれの（Ｃ（Ｒ３）２）部分においてもヒドロキシ基は１つのみである。Ｒ１基は分岐鎖及び／又は不飽和でありうる。Ｒ２基も環状構造を形成するために結合することができる。この種の界面活性剤はＣ１０〜Ｃ１４脂肪アシルアミドプロピレン（ヒドロキシプロピレン）スルホベタインでありバリオンＣＡＳスルフォベタイン（Ｖａｒｉｏｎ ＣＡＳ ｓｕｌｆｏｂｅｔａｉｎｅ）（登録商標）という商品名でシェレックス社（ｔｈｅ Ｓｈｅｒｅｘ Ｃｏｍｐａｎｙ）から購入できる。
【００５４】
過酸素漂白剤
本発明による組成物は任意の特質として過酸素漂白剤を含んでよい。
好ましい過酸素漂白剤は過酸化水素又はその水溶性供給源又はその混合物である。本明細書で使用する時、過酸化水素の供給源とは組成物が水と接触した場合に過酸化水素を生成するあらゆる化合物を指す。本明細書で用いるのに好適な過酸化水素の水溶性供給源としては過炭酸、過ケイ酸、モノ過硫酸などの過硫酸、過ホウ酸及び過酸化デカン二酸（ｄｉｐｅｒｏｘｙｄｏｄｅｃａｎｄｉｏｉｃ ａｃｉｄ）（ＤＰＤＡ）などの過酸、過フタル酸マグネシウム及びこれらの混合物が挙げられる。
又、過酸化水素及びその供給源の代替として、又は過酸化水素及びその供給源と組み合わせてその他の過酸化物を用いることもできる。好適な過酸化物としてはジアルキル過酸化物、ジアシル過酸化物、あらかじめ調製した過カルボン酸、有機及び無機過酸化物及び／又はヒドロ過酸化物が挙げられる。最も好ましい過酸素漂白剤は過酸化水素である。
【００５５】
前記過酸素漂白剤とりわけ過酸化水素、過硫酸などの本発明による組成物における存在は、前記組成物の殺菌特性に有利に働くことができる。事実、前記過酸素漂白剤は例えば微生物の細胞質内のリボソームが集まるのを抑えるなど、微生物の細胞の生死に関わる機能を攻撃する。又、過酸化水素などの前記過酸素漂白剤はタンパク質及び核酸を攻撃するヒドロキシルフリーラジカルを生成する酸化剤でもある。更に、過酸素漂白剤、とりわけ過酸化水素の存在は良好な染み除去効果をもたらし、これは例えば洗濯物及び硬質面に利用された場合に特に顕著である。
典型的には、本発明に基づく組成物には全組成物の０．０１重量％まで、好ましくは０．１％重量〜１５重量％及びより好ましくは１％重量〜１０重量％の濃度の過酸素漂白剤又はその混合物が存在する。
【００５６】
精油
本発明の組成物のその他の好ましい成分は抗細菌性精油又はその活性物質、又はその混合物である。
本明細書で使用すべき好適な抗細菌性精油は抗細菌活性を示す精油である。本明細書で使用する時「精油の活性物質」とは抗細菌作用を示す精油又は天然抽出物のあらゆる構成成分又を指す。前記抗細菌性精油及びその活性物質はタンパク質変性剤として働くと考えられている。又、前記抗菌精油及びその活性物質はいかなる表面の殺菌に用いられる場合でも、それらを含む組成物の安全性に寄与する化合物である。前記抗細菌性精油及びその活性物質のもう一つの利点は香料を添加しなくてもそれらを含む組成物に芳香を付与することである。
【００５７】
かかる抗菌性精油としてはタイム、レモングラス、柑橘類、レモン、オレンジ、アニス、チョウジノキ、アニスの実、パイン、シナモン、ゼラニウム、バラ、ミント、ラベンダー、シトロネラ、ユーカリ、ペパーミント、カンファー、アジョワン、ビャクダン、ローズマリ、クマツヅラ、フリーグラス（ｆｌｅａｇｒａｓｓ）、レモングラス、ラタニア、シダー、オリガナン、イトスギ、プロポリス抽出物及びこれらの混合物から得られる精油が挙げられるが、これに限定されない。本明細書に使用すべき好ましい抗細菌性精油はタイム油、丁子油、シナモン油、ゼラニウム油、ユーカリ油、ペパーミント油、シトラネラ油、アジョワン油、ミント油、オリガナン油、プロポリス、イトスギ油、ヒマラヤスギ、ニンニク抽出物又はこれらの混合物である。
【００５８】
本明細書で用いられる精油の活性物質としてはチモール（例えばタイム、アジョワンに存在する）、オイゲノール（例えばシナモン及びチョウジノキに存在する）、メントール（例えばミントに存在する）、ゲラニオール（例えばゼラニウム及びバラ、シトロネラに存在する）、ベルベノン（例えばクマツヅラに存在する）ユーカリプトール及びピノカルボン（例えばユーカリに存在する）、セドロール（例えばヒマラヤスギに存在する）、アネトール（例えばアニスに存在する）、カルバクロール、ヒノキチオール、ベルベリン、フェルラ酸、ケイ皮酸、メチルサリチル酸、メチルサリチラート、テルピネオール、リモネン及びこれらの混合物が挙げられるが、これに限定されない。本明細書で用いるのに好ましい精油の活性物質はチモール、オイゲノール、ベルベノン、ユーカリプトール、テルピネオール、ケイ皮酸、メチルサリチル酸、リモネン、ゲラニオール、アジョレン又はこれらの混合物である。
【００５９】
チモールは例えばアルドリッチ（Ａｌｄｒｉｃｈ）から入手可能なものであってよく、オイゲノ−ルは例えばシグマ、システムズ−バイオインダストリーズ（ＳＢＩ）−マンハイマー社（Ｓｉｇｍａ，Ｓｙｓｔｅｍｓ−Ｂｉｏｉｎｄｕｓｔｒｉｅｓ（ＳＢＩ）−Ｍａｎｈｅｉｍｅｒ Ｉｎｃ．）から入手可能なものであってよい。
典型的には、抗細菌性精油又はその活性物質又はこれらの混合物は、組成物中に組成物全体のの少なくとも０．００１重量％、好ましくは０．００６重量％〜１０重量％、より好ましくは０．０１重量％〜８重量％及び最も好ましくは０．０３重量％〜３重量％の濃度で存在する。
【００６０】
前記抗細菌性精油又はその活性物質或いはそれらの混合物と過酸素漂白剤との組成物中における組み合わせは、前記組成物で処理された表面に優れた即効性のある殺菌特性のみでなく長期持続性のある殺菌特性を送致する。実際、過酸素漂白剤及び前記精油／活性物質は前記組成物で処理された表面に吸着され、従って長時間、表面が前記組成物で処理された後典型的には４８時間まで微生物の汚染を低減又はさらに予防し、それによって長く持続する殺菌効果を与えると思われる。換言すれば、前記活性構成成分の微小皮膜が前記組成物で処理された表面に沈積し、前記組成物を長時間の微生物の再汚染から保護すると思われる。都合のよいことに、この持続性のある殺菌利益は過酸素漂白剤及び抗菌性精油／活性物質を含む本発明の組成物において、高度に希釈した状態、すなわち１：１００（組成物：水）の希釈濃度までで使用された時でさえも得られる。
【００６１】
優れた長期持続性を有する殺菌は本明細書に記載したように過酸素漂白剤及び抗細菌性精油又はその活性物質を含む組成物で表面を処理することによって得られ、多様な微生物、例えばＳｔａｐｈｙｌｏｃｏｃｃｕｓ  ａｕｒｅｕｓのようなグラム陽性細菌、及びＰｓｅｕｄｏｍｏｎａｓ  ａｅｒｏｇｉｎｏｓａのようなグラム陰性細菌並びにＣａｎｄｉｄａ  ａｌｂｉｃａｎのような真菌の成長が前記組成物で処理された表面において低減又は予防さえされる。
【００６２】
本発明に基づく組成物の長期持続性の殺菌特性は前記組成物の殺菌能力によって測定することができる。組成物の長期持続性殺菌作用を評価するのに好適な試験法は次の通りである：第一に、試験対象とする表面（例えばガラス）を、それぞれ本発明に基づく組成物又は、例えば精製水からなる陰性対照など、比較対照組成物のいずれかで処理する（例えば、組成物を直接表面に噴霧するか、組成物をまずスポンジに噴霧した後にそれで表面を洗浄するか、本明細書における組成物が拭き取り用品の形状で提供される場合はそれで表面を拭く）。色々な時間構成、（例えば２４時間）後に、各表面にそれぞれ細菌を接種し（１０６−７ｃｆｕ／スライド）、例えばＴＳＢ（トリプトン大豆ブイヨン）内で培養し、典型的には数秒から２時間放置した後、残存する生存細菌数を計測する。その後、生存細菌を（もしあれば）表面から回収し（ＴＳＡ＋中和プレートに接触させ及び細菌を再び中和したブイヨンに浮遊させ、それを寒天にプレーティングする）、適温、例えば３７℃で培養し、典型的には一晩放置して成育させる。最後に、本発明に基づく組成物で処理した表面及び比較対照組成物で処理した表面で認められる培養菌及び／又はその希釈液（例えば１０−２又は１０−１）を並べて比較することにより、生存菌の視覚的な分類わけを行う。
【００６３】
本発明の特別な実施形態において、前記組成物に所望される末端使用に依存して、それらはさらに任意の構成成分として、さらに本発明による組成物の抗細菌／抗菌活性に有利に作用する他の抗細菌化合物を含んでよい。かかる抗細菌性構成成分としてはエチルパラベン、プロピルパラベンのようなパラベン類、メチルパラベン、グルタルアルデヒド又はこれらの混合物が挙げられる。
【００６４】
追加的な界面活性剤
本発明の組成物は追加的な界面活性剤を含んでよい。追加的な界面活性剤は他の非イオン、両性、双極性又は上記のものを包含する、これらに限定されないが、陰イオン性界面活性剤から選択してよい。或いは、追加的な界面活性剤として例えばカチオン系界面活性剤又はＣ６〜Ｃ２０の従来の石鹸（Ｃ６〜Ｃ２０脂肪酸のアルカリ金属塩、好ましくはナトリウム塩）が挙げられてもよい。
【００６５】
キレート化剤
本明細書で用いられる組成物は好ましい任意成分として更にキレート化剤を含む。好適なキレート化剤はホスホネートキレート化剤、アミノホスホネートキレート化剤、置換ヘテロ芳香族キレート化剤、アミノカルボン酸キレート化剤、その他のカルボキシレート化剤、多官能価置換芳香族キレート化剤、エチレンジアミンＮ，Ｎ’−二コハク酸のような生分解性キレート化剤、又はこれらの混合物からなる群から選択されるものなど、当業界において熟練者に既知であるものであってよい。
本明細書における使用に好適なホスホネートキレート化剤としては、エチドロン酸（１−ヒドロキシエチレン−ジホスホン酸（ＨＥＤＰ）、及び／又はアルカリ金属エタン１−ヒドロキシジホスホネートが挙げられる。
【００６６】
本発明で使用するのに好適なアミノホスホネートキレート化剤としては、アミノアルキレンポリ（アルキレンホスホネート類）、ニトリロトリス（メチレン）トリホスホネート類、エチレンジアミンテトラメチレンホスホネート類、及び／又はジエチレントリアミンペンタメチレンホスホネート類が挙げられる。本明細書で用いるのに好ましいアミノホスホネートキレート化剤はジエチレントリアミンペンタメチレンホスホネート類である。
これらのホスホネート／アミノホスホネートキレート化剤は、その酸性官能基の一部又はすべてにおいて酸であるか、又は異なったカチオンの塩として存在してもよい。かかるホスホネート／アミノホスホネートキレート化剤は、モンサント社（Ｍｏｎｓａｎｔｏ）より、商品名デクエスト（ＤＥＱＵＥＳＴ）（登録商標）として入手可能である。
本明細書の使用に好適な置換複素環式芳香族キレート化剤としてはヒドロキシピリジン−Ｎ−オキシド又はそれらの誘導体が挙げられる。
本発明によって使用すべき好適なヒドロキシピリジンＮ−オキシド類及びそれらの誘導体は以下の式によるものである：
【００６７】
【化３】
2004501697.tif 000005
【００６８】
式中、Ｘは窒素であり、Ｙは以下の基、酸素、−ＣＨＯ、−ＯＨ、−（ＣＨ２）ｎ−ＣＯＯＨの１つであり、その際、ｎは０〜２０、好ましくは０〜１０の整数であり、さらに好ましくは０であり、その際、好ましくはＹは酸素である。従って、本明細書で使用するのに特に好ましいヒドロキシピリジンＮ−オキシド及びその誘導体は２−ヒドロキシピリジンＮ−オキシドである。ヒドロキシピリジンＮ−オキシド及びその誘導体はシグマから入手可能である。
多官能基置換芳香族キレート化剤も本明細書の組成物において有用である。米国特許第３，８１２，０４４号（１９７４年５月２１日発行、コナー（Ｃｏｎｎｏｒ）ら））を参照のこと。酸性形態でのこの種の好ましい化合物は、１，２−ジヒドロキシ−３，５−ジスルホベンゼンのようなジヒドロキシジスルホベンゼンである。
【００６９】
本明細書で使用するのに好ましい生分解性キレート化剤は、エチレンジアミンＮ，Ｎ’−二コハク酸、又はそのアルカリ金属塩、又はアルカリ土類塩、アンモニウム塩又は置換アンモニウム塩、又はそれらの混合物である。エチレンジアミンＮ，Ｎ’−二コハク酸、とりわけ（Ｓ，Ｓ）異性体に関しては米国特許第４，７０４，２３３号ハートマン及びパーキンス（Ｈａｒｔｍａｎ ａｎｄ Ｐｅｒｋｉｎｓ）に１９８７年１１月３日発行）に詳細に記載されている。エチレンジアミンＮ，Ｎ’−二コハク酸は、例えば商品名ｓｓＥＤＤＳ（登録商標）でパーマー研究所（Ｐａｌｍｅｒ Ｒｅｓｅａｒｃｈ Ｌａｂｏｒａｔｏｒｉｅｓ）から市販されている。エチレンジアミンＮ，Ｎ’−二コハク酸は本発明の組成物の使用に特に好適である。
【００７０】
本明細書において有用である好適なアミノカルボン酸キレート化剤としてはエチレンジアミン四酢酸、ジエチレントリアミンペンタアセテート、ジエチレントリアミン五酢酸（ＤＴＰＡ）、Ｎ−ヒドロキシエチルエチレンジアミン三酢酸、ニトリロ三酢酸、エチレンジアミン四プロピオン酸、トリエエチレンテトラアミン六酢酸、エタノールジグリシン、並びに酸の形をとるか、アルカリ金属、アンモニウム及び置換アンモニウム塩の形をとるプロピレンジアミン四酢酸（ＰＤＴＡ）及びメチルグリシン二酢酸（ＭＧＤＡ）が挙げられる。本明細書で用いられるのに特に好適なのはジエチレントリアミン五酢酸（ＤＴＰＡ）、例えばトリロン（Ｔｒｉｌｏｎ）ＦＳ（登録商標）という商品名でＢＡＳＦ社から購入できるプロピレンジアミン四酢酸（ＰＤＴＡ）及びメチルグリシン二酢酸（ＭＧＤＡ）である。
【００７１】
更に、本明細書で用いられるカルボン酸キレート化剤としてはマロン酸、サリチル酸、グリシン、アスパラギン酸、グルタミン酸又はこれらの混合物が挙げられる。
典型的には、本発明に基づく組成物には組成物総重量の５％以内、好ましくは０．００１〜３％、更に好ましくは０．００１〜１．５％のキレート化剤又はその混合物が含まれる。
【００７２】
ラジカルスカベンジャー
本明細書における組成物はもう１つの任意成分としてラジカルスカベンジャーを含んでもよい。本明細書で使用するのに好適なラジカルスカベンジャーには、周知の置換されたモノ−及びジ−ヒドロキシベンゼン及びその誘導体、アルキル−及びアリール−カルボキシレート及びそれらの混合物が挙げられる。本明細書で使用するのに好ましいラジカルスカベンジャーには、ジ−第３級−ブチルヒドロキシトルエン（ＢＨＴ）、ｐ−ヒドロキシ−トルエン、ヒドロキノン（ＨＱ）、ジ−第３級−ブチルヒドロキノン（ＤＴＢＨＱ）、モノ−第３級−ブチルヒドロキノン（ＭＴＢＨＱ）、第３級−ブチル−ヒドロキシアニソール（ＢＨＡ）、ｐ−ヒドロキシ−アニソール、安息香酸、２，５−ジヒドロ安息香酸、２，５−ジヒドロキシテレフタル酸、トルイル酸、カテコール、ｔ−ブチルカテコール、４−アリル−カテコール、４−アセチルカテコール、２−メトキシ−フェノール、２−エトキシ−フェノール、２−メトキシ−４−（２−プロペニル）フェノール、３、４−ジヒドロキシベンゾアルデヒド、２，３−ジヒドロキシベンゾアルデヒド、ベンジルアミン、１，１、３−トリス（２−メチル−４−ヒドロキシ−５−ｔ−ブチルフェニル）ブタン、第三級−ブチル−ヒドロキシ−アニリン、ｐ−ヒドロキシアニリン並びにｎ−プロピル−ガレートが挙げられる。本明細書で使用するのに極めて好ましいのは、ジ−第３級−ブチルヒドロキシトルエンであり、それは例えば、商品名イオノール（ＩＯＮＯＬ）ＣＰ（登録商標）のもとでシェル（ＳＨＥＬＬ）から市販されており、及び／又は第３級−ブチル−ヒドロキシアニソールである。これらのラジカルスカベンジャーは本明細書の過酸素漂白剤含有組成物の安定性に有利に働く。
【００７３】
典型的には、本発明に基づく組成物には組成物全体の５重量％まで、好ましくは０．００２重量％〜１．５重量％、更に好ましくは０．００２重量％〜１重量％のラジカルスカベンジャー又はその混合物が含まれる。
【００７４】
溶媒
本明細書で用いられる組成物は好ましい任意構成成分として、溶媒又はこれらの混合物を含む。溶媒は、使用されると、本発明の組成品の洗浄性を増強させる利点を有する。本発明による組成物に組み込むのに好適な溶媒としては、ｎ−ブトキシプロパノール、ｎ−ブトキシプロポキシプロパノ−ルなどのプロピレングリコール誘導体、水溶性のカルビトール（登録商標）溶媒又は水溶性セロソルブ（ＣＥＬＬＯＳＯＬＶＥ）（登録商標）溶媒が挙げられる。水溶性のカルビトール（登録商標）溶媒はアルコキシ基がエチル、プロピル又はブチルから誘導される２−（２−アルコキシエトキシ）エタノールの化合物である。好ましい水溶性カルビトールはブチルカルビトール（登録商標）としても知られている２−（２−ブトキシエトキシ）エタノールである。水溶性セロソルブ（ＣＥＬＬＯＳＯＬＶＥ）（登録商標）溶媒は２−アルコキシエトキシエタノールの部類の化合物であり、２−ブトキシエトキシエタノールが好ましい。他の好適な溶媒は、ベンジルアルコール、メタノール、エタノール、イソプロピルアルコール及び２−エチル−１，３−ヘキサンジオール、並びに２，２，４−トリメチル−１，３−ペンタンジオールなどのジオール類及びこれらの混合物である。本明細書の使用に好ましい溶媒はｎ−ブトキシプロポキシプロパノ−ル、ブチルカルビトール（登録商標）、ベンジルアルコール、イソプロパノ−ル、１−プロパノ−ル及びこれらの混合物である。本明細書の使用に最も好ましい溶媒はブチルカルビトール（登録商標）、ベンジルアルコール、１−プロパノ−ル及び／又はイソプロパノ−ルである。
当該溶媒は典型的には本発明による組成物内に１５重量％まで、好ましくは組成物の０．５重量％〜７重量％の濃度で存在してよい。
【００７５】
ｐＨ緩衝液
本発明の実施形態において、組成物がアルカリｐＨ範囲、典型的には７．５〜１２で処方される場合、本発明による組成物はさらにｐＨ緩衝液又はこれらの混合物、すなわち強酸或いは強塩基が加えられた時にｐＨの変化がわずかである化合物若しくは化合物の組み合わせからなる系を含んでよい。
本明細書の使用に好適なｐＨ緩衝液としてはホウ酸塩ｐＨ緩衝液、ホスホネート、ケイ酸塩及びこれらの混合物が挙げられる。本明細書の使用に好適なホウ酸塩ｐＨ緩衝液としてはホウ酸及びアルキルホウ酸のアルカリ金属塩並びにこれらの混合物が挙げられる。本明細書の使用すべき好適なホウ酸塩ｐＨ緩衝液としては１〜１２個、及び好ましくは１〜４個の炭素原子を含有するホウ酸、メタボレート、テトラボレート、オクトボレート、ペンタボレート、ドデカボロン、ボロントリフルオリド、及び／又はアルキルホウ酸のアルカリ金属塩である。好適なアルキルホウ酸としてはメチルホウ酸、エチルホウ酸及びプロピルホウ酸が挙げられる。本明細書において特に好ましいのはメタボレートのアルカリ金属塩（例えばメタボレートナトリウム）、テトラボレートのアルカリ金属塩（例えばテトラボレートナトリウム十水和物）又はこれらの混合物である。
【００７６】
メタボレートナトリウム及びテトラボレートナトリウムなどのホウ素塩はボラックス（Ｂｏｒａｘ）及びソシエタ・キミ・ラルデレロ（Ｓｏｃｉｅｔａ Ｃｈｉｍｉｃａ Ｌａｒｄｅｒｅｌｌ）から商品名メタボレートナトリウム（登録商標）及びボラックス（登録商標）で入手可能である。
組成物のｐＨはいずれかの好適な酸性化剤、例えば有機酸を使用して酸性ｐＨに調整する及び／又はそのｐＨに緩衝することができる。
典型的には、本発明による組成物は組成物全体の１５重量％まで、好ましくは０．０１重量％〜１０重量％、より好ましくは０．０１重量％〜５重量％、最も好ましくは０．１重量％〜３重量％のｐＨ緩衝液又はその混合物を含んでよい。
【００７７】
ウェットタオルの包装
本発明による好ましい実施形態において、ウェットタオルは容器から１つ又は複数のウェットタオルを容易に取り除けるいずれかの簡便な配置において容器に包装される。好ましくはふき取り用品は巻物、積み重ね又は山積みに包装される。より好ましくはふき取り用品はいずれの数のふき取り用品を含んでもよい積み重ね配置で提供される。典型的には、積み重ねは２〜１５０、より好ましくは５〜１００、最も好ましくは１０〜６０のふき取り用品を含む。さらにふき取り用品は折り畳んでもよく又、広げてもよい。最も好ましくはふき取り用品は折り畳まれた配置で積み重ねられる。
【００７８】
表面の処理工程
好ましい実施形態において、本発明は本明細書に記載したような組成物を含んでいる基材を前記表面に接触させる、好ましくはふき取る段階を含む、表面、好ましくは硬質面の洗浄及び／又は殺菌工程を包含する。
本適用の好ましい実施形態において、前記工程は本明細書に記載したような組成物を組み込む基材を前記表面の一部、より好ましくは前記表面の汚れた部分に接触させる段階を含む。
その他の好ましい実施形態において、前記工程は本明細書に記載したような組成物を含んでいる前記基材を前記表面に接触させた後、本明細書に記載したような組成物を含んでいる前記基材を使用して前記表面に機械的な動きを付与する段階を含む。「機械的な動き」は例えばウェットタオルを使用した表面の摩擦などの表面上のウェットタオルの振動を意味する。
【００７９】
「表面」は本明細書においてヒトの皮膚、口、歯のような動物の表面、及び動物でない表面を包含するいずれかの表面を意味する。本明細書において動物でない表面とは、台所、洗面所など家の中で、又は車の内装で典型的に見られる硬質面、例えば、タイル、壁、床、クロムメッキ物、ガラス、なめらかなビニル、いずれかのプラスチック、可塑化木材、テーブルの上面、流し台、ガス台上面、皿；流し台、シャワー、シャワーカーテン、洗面器、水洗トイレなどの衛生用品、並びに衣服、カーテン、掛け布、ベッドリネン、浴室リネン、テーブルクロス、寝袋、テント、装飾家具などを包含する布及びカーペットが挙げられるが、これらに限定されない。動物以外の表面には又家庭用電気製品も挙げられ、これには冷蔵庫、冷凍庫、洗濯機、自動乾燥機、オーブン、電子レンジ、皿洗い機等が挙げられるがこれらに限定されない。
【図面の簡単な説明】
【図１】基材を示す平面図である。
【図２】Ｚ折り畳みパターンを使用した基材を示す斜視図である。
【図３】Ｖ折り畳みパターンを使用した基材を示す斜視図である。
【図４】Ｃ折り畳みパターンを使用した基材を示す斜視図である。
【図５】ジグザグに重なり折り畳まれる基材を示す側面図である。
【図６】ジグザグに重なり折り畳まれる基材を示す斜視図である。
【図７】ａ〜ｌは、それぞれ分配用の穴を示す図である。
【国際公開パンフレット】
2004501697.tif 000006
2004501697.tif 000007
2004501697.tif 000008
2004501697.tif 000009
2004501697.tif 000010
2004501697.tif 000011
2004501697.tif 000012
2004501697.tif 000013
2004501697.tif 000014
2004501697.tif 000015
2004501697.tif 000016
2004501697.tif 000017
2004501697.tif 000018
2004501697.tif 000019
2004501697.tif 000020
2004501697.tif 000021
2004501697.tif 000022
2004501697.tif 000023
2004501697.tif 000024
2004501697.tif 000025
2004501697.tif 000026
2004501697.tif 000027
2004501697.tif 000028
2004501697.tif 000029
2004501697.tif 000030
2004501697.tif 000031
2004501697.tif 000032
2004501697.tif 000033
2004501697.tif 000034
2004501697.tif 000035
2004501697.tif 000036
2004501697.tif 000037
2004501697.tif 000038
2004501697.tif 000039
2004501697.tif 000040
2004501697.tif 000041
2004501697.tif 000042
2004501697.tif 000043
2004501697.tif 000044
2004501697.tif 000045
2004501697.tif 000046
2004501697.tif 000047
2004501697.tif 000048
2004501697.tif 000049
【国際調査報告】
2004501697.tif 000050
2004501697.tif 000051